(57)【要約】      （修正有）【課題】効果的な診療を実現可能な診療支援装置、診療支援方法、及び診療支援プログラムを提供する。【解決手段】訪問診療支援システム１において、診療支援装置３は、所定の記憶装置から、診療予定の患者に関する患者情報および過去の診療時における患者との会話の内容を示す第１のコミュニケーション情報を取得する情報取得部と、患者情報とともに第１のコミュニケーション情報を表示部５に表示させる表示制御部と、を有する。【選択図】図１
2020123267.tif 000002
【特許請求の範囲】
【請求項１】
所定の記憶装置から、診療予定の患者に関する患者情報、および、過去の診療時における前記患者との会話の内容を示す第１のコミュニケーション情報を取得する情報取得部と、
前記患者情報とともに前記第１のコミュニケーション情報を表示部に表示させる表示制御部と、を有する、
診療支援装置。
【請求項２】
前記情報取得部は、
所定の記憶装置から地図情報を取得し、
前記表示制御部は、
前記地図情報を前記表示部に表示させるとともに、前記地図情報上の前記患者の現在位置に関連付けて前記患者情報および前記第１のコミュニケーション情報を表示させる、
請求項１に記載の診療支援装置。
【請求項３】
前記情報取得部は、
前記患者情報および前記第１のコミュニケーション情報を含む表示領域を指定する操作が行われた場合、所定の記憶装置から前記患者の過去の診療録を示す過去診療録情報を取得し、
前記表示制御部は、
前記過去診療録情報を前記表示部に表示させる、
請求項１または２に記載の診療支援装置。
【請求項４】
前記表示制御部は、
前記過去診療録情報とともに、前記第１のコミュニケーション情報を前記表示部に表示させる、
請求項３に記載の診療支援装置。
【請求項５】
前記表示制御部は、
前記過去診療録情報の表示から、今回の診療録を示す今回診療録情報を入力可能な入力画面の表示への切り替えを指示する操作が行われた場合、今回の診療時における前記患者との会話の内容を示す第２のコミュニケーション情報を新規に入力可能な入力欄を含む前記入力画面を前記表示部に表示させる、
請求項４に記載の診療支援装置。
【請求項６】
前記表示制御部は、
前記入力画面に前記過去診療録情報を含めて表示させる、
請求項５に記載の診療支援装置。
【請求項７】
前記表示制御部は、
前記入力画面において入力された前記今回診療録情報の内容を確定する操作が行われるボタンを前記入力画面に表示させる、
請求項５または６に記載の診療支援装置。
【請求項８】
前記入力画面において入力された前記今回診療録情報は、前記入力欄に入力された前記第２のコミュニケーション情報と関連付けて所定の記憶装置に記憶される、
請求項５から７のいずれか１項に記載の診療支援装置。
【請求項９】
前記表示制御部は、
前記入力画面において入力された前記今回診療録情報の種類を示す画像を、前記患者情報および前記第１のコミュニケーション情報とともに前記表示部に表示させる、
請求項５から８のいずれか１項に記載の診療支援装置。
【請求項１０】
前記表示制御部は、
前記入力画面において入力された前記今回診療録情報に基づいて、前記患者の患部を示す画像を、前記患者情報および前記第１のコミュニケーション情報とともに前記表示部に表示させる、
請求項５から９のいずれか１項に記載の診療支援装置。
【請求項１１】
前記表示制御部は、
前記診療予定の患者が同一の施設に複数存在する場合、
各患者の前記患者情報および前記第１のコミュニケーション情報を前記表示部に一覧表示させる、
請求項１から１０のいずれか１項に記載の診療支援装置。
【請求項１２】
診療予定の患者に関する患者情報、および、過去の診療時における前記患者との会話の内容を示すコミュニケーション情報を記憶装置から取得するステップと、
前記患者情報とともに前記コミュニケーション情報を表示部に表示させるステップと、を含む、
診療支援方法。
【請求項１３】
診療予定の患者に関する患者情報、および、過去の診療時における前記患者との会話の内容を示すコミュニケーション情報を記憶装置から取得する処理と、
前記患者情報とともに前記コミュニケーション情報を表示部に表示させる処理と、をコンピュータに実行させる、
診療支援プログラム。
【発明の詳細な説明】
【技術分野】
【０００１】
本開示は、医師が診療を行うときに活用する診療支援装置、診療支援方法、および診療支援プログラムに関する。
【背景技術】
【０００２】
一般的に、訪問診療を行う医師は、自動車等に搭乗して移動することが多い。そこで、効率的な訪問診療を実現する方法として、例えば特許文献１には、コンピュータが、訪問先位置および駐車位置を示す情報に基づいて、訪問先位置および駐車位置を示す地図データを生成し、その地図データを端末に表示させる方法が開示されている。
【先行技術文献】
【特許文献】
【０００３】
【特許文献１】特開２０１４−１４２７１３号公報
【発明の概要】
【発明が解決しようとする課題】
【０００４】
例えば訪問診療では、患者は、自分のことを理解してくれている医師に絶大なる信頼を寄せ、心を開いて自らの病状などを適切に説明する傾向にある。よって、患者からの信頼を得るために、医師にとって患者とのコミュニケーションは、非常に重要である。
【０００５】
特に、診療の開始前に医師が患者に一言声をかけるだけで、その後、医師と患者との間の円滑なコミュニケーションが実現されることが多い。例えば、診療前に、医師が、患者との間で過去に話題にあがった内容について話すことで、その話題がたとえ診療に無関係な内容であったとしても、患者の医師への信頼を飛躍的に向上させることがある。
【０００６】
しかしながら、例えば特許文献１の方法を用いて効率性を追求した場合では、患者とのコミュニケーションが十分にとれないおそれがある。よって、医師は、患者からの信頼を得ることができず、患者から病状等の適切な説明を引き出すことができない。その結果、効果的な診療は実現されない。
【０００７】
本開示の一態様の目的は、効果的な診療を実現することができる訪問診療支援システムを提供することである。
【課題を解決するための手段】
【０００８】
本開示の一態様に係る診療支援装置は、所定の記憶装置から、診療予定の患者に関する患者情報、および、過去の診療時における前記患者との会話の内容を示す第１のコミュニケーション情報を取得する情報取得部と、前記患者情報とともに前記第１のコミュニケーション情報を表示部に表示させる表示制御部と、を有する。
【０００９】
本開示の一態様に係る診療支援方法は、診療予定の患者に関する患者情報、および、過去の診療時における前記患者との会話の内容を示すコミュニケーション情報を記憶装置から取得するステップと、前記患者情報とともに前記コミュニケーション情報を表示部に表示させるステップと、を含む。
【００１０】
本開示の一態様に係る診療支援プログラムは、診療予定の患者に関する患者情報、および、過去の診療時における前記患者との会話の内容を示すコミュニケーション情報を記憶装置から取得する処理と、前記患者情報とともに前記コミュニケーション情報を表示部に表示させる処理と、をコンピュータに実行させる。
【発明の効果】
【００１１】
本開示によれば、効果的な診療を実現することができる。
【図面の簡単な説明】
【００１２】
【図１】本開示の実施の形態に係る訪問診療支援システムを示す図
【図２】本開示の実施の形態に係る携帯端末の電気的接続を示すブロック図
【図３】本開示の実施の形態に係る電子カルテサーバの電気的接続を示すブロック図
【図４】本開示の実施の形態に係る携帯端末の表示部の表示例を示す図
【図５】本開示の実施の形態に係る携帯端末の制御フローチャート
【図６】本開示の実施の形態に係る携帯端末の制御フローチャート
【図７】本開示の実施の形態に係る携帯端末の制御フローチャート
【図８】本開示の実施の形態に係る携帯端末の制御フローチャート
【図９】本開示の実施の形態に係る訪問診療計画表を示す図
【図１０】本開示の実施の形態に係る一言メモ情報表を示す図
【図１１】本開示の実施の形態に係る携帯端末の表示部の表示例を示す図
【図１２】本開示の実施の形態に係る診療録情報表を示す図
【図１３】本開示の実施の形態に係る問診マスター表を示す図
【図１４】本開示の実施の形態に係る問診選択肢マスター表を示す図
【図１５】本開示の実施の形態に係る携帯端末の表示部の表示例を示す図
【図１６】本開示の実施の形態に係る携帯端末の表示部の表示例を示す図
【図１７】本開示の実施の形態に係る携帯端末の表示部の表示例を示す図
【図１８】本開示の実施の形態に係る携帯端末の表示部の表示例を示す図
【図１９】本開示の実施の形態に係る携帯端末の表示部の表示例を示す図
【図２０】本開示の変形例に係る患者ボタンの表示例を示す図
【図２１】本開示の変形例に係る携帯端末の制御フローチャート
【図２２】本開示の変形例に係る患者ボタンの表示例を示す図
【発明を実施するための形態】
【００１３】
以下、本開示の実施の形態について、図面を参照しながら説明する。なお、各図において共通する構成要素については同一の符号を付し、それらの説明は適宜省略する。
【００１４】
まず、本実施の形態の訪問診療支援システム１について、図１を用いて説明する。図１は、本実施の形態の訪問診療支援システム１を示す図である。
【００１５】
図１に示す訪問診療支援システム１は、例えば、医師が訪問診療を行うときに活用するシステムである。訪問診療とは、医師が患者宅を定期的に訪問し、診療、治療、薬の処方、療養上の相談、指導等を行う診療である。一般的に、訪問診療では、医師は、複数の患者宅を訪問する。
【００１６】
図１に示すように、訪問診療支援システム１は、電子カルテサーバ２と、携帯端末３（診療支援装置の一例）とを備える。
【００１７】
携帯端末３は、電子カルテサーバ２および地図サーバ４（ともに記憶装置の一例）のそれぞれと通信する。電子カルテサーバ２の詳細については後述する。地図サーバは、地図情報を記憶している。
【００１８】
また、携帯端末３は、種々の情報を表示する表示部５と、ユーザ（例えば医師。以下同様）の操作を受け付ける操作キー６とを備える。携帯端末３は、例えば、スマートフォンまたはタブレット等である。
【００１９】
次に、携帯端末３の構成について、図２を用いて説明する。図２は、携帯端末３の電気的接続を示すブロック図である。
【００２０】
なお、図２では図示を省略しているが、携帯端末３は、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路等のハードウェアを有する。後述する携帯端末３の各部の機能は、例えば、ＣＰＵが、メモリに格納された制御プログラムを読み出して実行することにより、実現される。
【００２１】
図２に示すように、携帯端末３は、表示部５、操作キー６、制御部７、通信部８、電源９、ＧＰＳ（Global Positioning System）情報取得部１０、および記憶部１１を備える。
【００２２】
制御部７は、表示部５、操作キー６、通信部８、電源９、ＧＰＳ情報取得部１０、および記憶部１１と電気的に接続されており、種々の制御（詳細は後述）を行う。
【００２３】
制御部７は、通信部８を制御することにより種々の情報を取得する「情報取得部」、および、表示部５に種々の情報を表示させる「表示制御部」として機能する。
【００２４】
通信部８は、図１に示した電子カルテサーバ２および地図サーバ４それぞれとの間で、情報（詳細は後述）の送受信を行う。
【００２５】
電源９は、携帯端末３の電源であり、制御部７に接続された各部に電力を供給する。
【００２６】
ＧＰＳ情報取得部１０は、図示しないＧＰＳ衛星から携帯端末３の位置を示す情報（以下、ＧＰＳ情報という）を取得する。
【００２７】
記憶部１１は、例えば、制御部７が実行する制御プログラムや、通信部８が電子カルテサーバ２から受信した診療録情報および訪問診療計画情報を記憶する。
【００２８】
診療録情報は、患者の診療経過等を示す情報である。また、訪問診療計画情報は、訪問診療の計画（複数の患者を訪問診療する計画）を示す情報である。
【００２９】
なお、表示部５は、表示部５に表示されたボタンをユーザが指等でタッチする入力操作を受け付けてもよい。また、この表示部５に対する入力操作は、操作キー６に対する入力操作を兼ねてもよい。その場合、携帯端末３は、操作キー６を備えなくてもよい。
【００３０】
次に、電子カルテサーバ２の構成について、図３を用いて説明する。図３は、電子カルテサーバ２の電気的接続を示すブロック図である。
【００３１】
図３に示すように、電子カルテサーバ２は、制御部１２、通信部１３、および記憶部１４を備える。
【００３２】
制御部１２は、通信部１３および記憶部１４と電気的に接続されており、種々の制御（詳細は後述）を行う。
【００３３】
通信部１３は、携帯端末３との間で、情報（詳細は後述）の送受信を行う。
【００３４】
記憶部１４は、患者毎に種々の情報を記憶している。例えば、記憶部１４は、上述した診療録情報および訪問診療計画情報や、後述する一言メモ情報表、問診マスター表、および問診選択肢マスター表などを記憶している。
【００３５】
以上、訪問診療支援システム１、電子カルテサーバ２、および携帯端末３の構成について説明した。
【００３６】
上述したとおり、患者の信頼を得て効果的な訪問診療を実現するためには、医師にとって患者とのコミュニケーションは、非常に重要である。しかしながら、訪問診療計画情報に従って複数の患者を訪問診療する場合、医師は、忙しさに追われて、効率良く訪問しようとしてしまうおそれがある。
【００３７】
そこで、本実施の形態では、訪問診療の際に医師が患者と円滑なコミュニケーションを図れるようにするために、携帯端末３の表示部５にコミュニケーション情報を表示すようにした。具体的には、図４に示すように、表示部５に表示される地図情報上に、コミュニケーション情報を含むコミュニケーション表示欄１５を表示する。
【００３８】
コミュニケーション情報は、例えば、患者との会話のきっかけとなる内容のテキストを示す情報（以下、一言メモともいう）である。
【００３９】
例えば、医師は、所定の患者を訪問する前に、携帯端末３においてその患者を指定する操作を行う。これにより、携帯端末３の表示部５には、例えば図４に示すように、「８月末に孫が来る」というコミュニケーション情報を含むコミュニケーション表示欄１５が表示される。
【００４０】
これにより、診療を開始するときに、医師は、「８月末に孫が来る」というコミュニケーション情報に基づいて、患者に「もうすぐお孫さんが来られるそうですね」と声をかけることができる。これにより、医師は、患者との間で以前に話題となった内容を覚えていることを示すことができる。よって、その話題がたとえ診療に無関係な内容であったとしても、患者は「先生はこの前の自分の話を覚えていてくれた。自分のことを気にかけてくれている。」と感じ、患者の医師への信頼を飛躍的に向上させることができる。
【００４１】
その結果、患者は自分の症状等について適切に説明するようになり、医師は、効率重視ではない効果的な診療を行うことができるようになる。
【００４２】
次に、携帯端末３の制御部７が実行する制御処理について、図５〜図８を用いて説明する。図５〜図８は、携帯端末３の制御部７が実行する制御処理の流れを示すフローチャートである。
【００４３】
まず、訪問診療を行う医師により携帯端末３が起動されると、制御部７は、ＧＰＳ情報を取得するようにＧＰＳ情報取得部１０を制御する（ステップＳ１）。
【００４４】
次に、制御部７は、地図サーバ４から地図情報を取得するように通信部８を制御する（ステップＳ２）。
【００４５】
具体的には、制御部７は、ＧＰＳ情報を地図サーバ４に送信するように通信部８を制御する。これにより、通信部８は、ＧＰＳ情報を地図サーバ４へ送信する。
【００４６】
地図サーバ４は、携帯端末３からＧＰＳ情報を受信すると、そのＧＰＳ情報に示される携帯端末３の位置の周辺の地図情報を携帯端末３へ送信する。これにより、携帯端末３の通信部８が地図情報を受信する。
【００４７】
そして、制御部７は、地図情報を表示するように表示部５を制御する。これにより、表示部５は、地図情報を表示する。
【００４８】
なお、表示部５に表示される地図情報は、ＧＰＳ情報に示される携帯端末３の位置に基づいて、カーナビゲーションシステムと同様に、随時更新されるとする。
【００４９】
次に、制御部７は、電子カルテサーバ２から訪問診療計画情報を取得するように通信部８を制御する（ステップＳ３）。
【００５０】
具体的には、制御部７は、訪問診療計画情報の要求情報を電子カルテサーバ２に送信するように通信部８を制御する。これにより、通信部８は、訪問診療計画情報の要求情報を電子カルテサーバ２へ送信する。
【００５１】
電子カルテサーバ２は、携帯端末３から訪問診療計画情報の要求情報を受信すると、訪問診療計画情報を携帯端末３へ送信する。これにより、携帯端末３の通信部８が訪問診療計画情報を受信する。
【００５２】
ここで、訪問診療計画情報の一例について、図９を用いて説明する。図９は、訪問診療計画情報の一例である訪問診療計画表１６を示す図である。
【００５３】
図９に示すように、訪問診療計画表１６には、例えば、現在（以下、本日ともいう）の日付「２０１８．０８．０６」を示す日付情報と、その日付に訪問診療を行う予定の訪問先に関する訪問先情報とが含まれている。図９の例では、２件の訪問先情報が含まれている。訪問先情報は、診療予定の患者に関する患者情報の一例に相当する。
【００５４】
図中の上側に示す訪問先情報（以下、１番目の訪問先情報という）には、住所「○○市△△町１−４−５」、住所に対応する緯度・経度「３５．６６５１８５，１３９．７５２７５３」、訪問先種別「個人宅」、患者ＩＤ「２」、患者名「患者花子」、診療の開始予定時間である開始予定時間「０９：００」、診療の終了予定時間である終了予定時間「０９：３０」、訪問種別「訪問診療」、入力済み診療録情報「Ｓ，Ｏ」、といった訪問診療に必要な情報が含まれている。
【００５５】
入力済み診療録情報とは、診療時に医師により入力された診療録情報である。入力済み診療録情報としては、例えば、Ｓ（主観的情報）情報、Ｏ（客観的情報）情報、Ａ（評価）情報、Ｐ（治療）情報などが挙げられる。なお、Ｓ情報、Ｏ情報、Ａ情報、およびＰ情報をまとめて「ＳＯＡＰ情報」という。
【００５６】
例えば、医師が診療時にＳ情報およびＯ情報を入力した場合、訪問診療計画表１６における入力済み診療録情報の欄には、図９に示すように「Ｓ，Ｏ」と記録される。なお、診療前では、訪問診療計画表１６における入力済み診療録情報の欄は、空欄（記録がない状態）である。
【００５７】
図中の下側に示す訪問先情報（以下、２番目の訪問先情報という）には、住所「○○市△△町１−１−５」、住所に対応する緯度・経度「３６．６６６０００，１３９．７５７５７５」、訪問先種別「施設」、訪問先ＩＤ「１０００」、訪問先名「ＰＨＣ老人ホーム」、開始予定時間「１０：００」、終了予定時間「１２：００」といった情報が含まれている。
【００５８】
さらに、２番目の訪問先情報には、「ＰＨＣ老人ホーム」に入所しており、かつ、訪問診療を受ける予定の患者に関するが含まれている。施設患者情報は、患者毎に、患者ＩＤ、患者名、開始予定時間、終了予定時間、訪問種別、および入力済み診療録情報を含んでいる。
【００５９】
このような訪問診療計画表１６は、訪問診療前に予め作成され、電子カルテサーバ２の記憶部１４に保存されている。
【００６０】
医師は、訪問診療計画表１６に従って、訪問診療を行う。以下は、医師が２０１８年８月６日に訪問診療を行う場合を例に挙げて説明する。
【００６１】
以上、訪問診療計画情報の一例である訪問診療計画表１６について説明した。以下、図５の説明に戻る。
【００６２】
制御部７は、訪問診療計画表１６から、１件分の訪問先情報を読み出す（ステップＳ４）。例えば、制御部７は、１番目の訪問先情報を読み出す。
【００６３】
そして、例えば、携帯端末３を携帯した医師が、１番目の訪問先情報に示される住所の近くに来た場合、制御部７は、図４に示すように、表示部５に、上記住所の周辺の地図を表示させるとともに、上記住所の位置、すなわち、１番目の訪問先の自宅の位置（患者の現在位置の一例）を示す自宅図１７を表示させる。
【００６４】
次に、制御部７は、読み出した１件分の訪問先情報に基づいて、患者ボタン表示処理を行う（ステップＳ５）。
【００６５】
ここで、患者ボタン表示処理（ステップＳ５）の詳細について、図６を用いて説明する。図６は、患者ボタン表示処理の流れを示すフローチャートである。
【００６６】
まず、制御部７は、読み出した訪問先情報における入力済み診療録情報欄が空欄か否か（換言すれば、読み出した訪問先情報において入力済み診療力情報が含まれているか否か）を判定する（ステップＳ２１）。
【００６７】
入力済み診療録情報欄が空欄ではない場合（ステップＳ２１：ＮＯ）、フローは、ステップＳ２６へ進む。このステップＳ２６の詳細については、後述の変形例で説明する。
【００６８】
一方、入力済み診療録情報欄が空欄である場合（ステップＳ２１：ＹＥＳ）、フローは、ステップＳ２２に進む。
【００６９】
ここでは例として、読み出した訪問先情報が１番目の訪問先情報であり、その入力済み診療録情報が空欄であるとする。
【００７０】
次に、制御部７は、過去（例えば、前回）の訪問診療で医師が入力した一言メモ情報（コミュニケーション情報の一例）を電子カルテサーバ２から取得するように通信部８を制御する（ステップＳ２２）。これにより、通信部８は、一言メモ情報を電子カルテサーバ２から受信する。
【００７１】
例えば、制御部７は、通信部８から、１番目の訪問先情報の患者ＩＤ「２」を電子カルテサーバ２に送信させる。電子カルテサーバ２の記憶部１４には、患者ＩＤ毎に、図１０に示す一言メモ情報表１９が記憶されている。
【００７２】
図１０に示すように、一言メモ情報表１９は、患者ＩＤ「２」、前回の訪問診療の日付「２０１８．０７．２３」、一言メモ「８月に孫が来る」といった情報が含まれている。ここで、一言メモ「８月に孫が来る」という文は、前回の訪問診療時（２０１８年７月２３日）に、医師が入力した一言メモである。医師による一言メモの入力については、後述する。
【００７３】
電子カルテサーバ２の制御部１２は、携帯端末３から受信した患者ＩＤ「２」に対応する一言メモ情報表１９を記憶部１４から読み出し、通信部１３から携帯端末３へ送信させる。これにより、携帯端末３の通信部８は、一言メモ情報表１９を受信する。
【００７４】
次に、制御部７は、訪問先情報の訪問先種別が「個人宅」であるか否かを判定する（ステップＳ２３）。
【００７５】
訪問先情報の訪問先種別が「個人宅」ではない場合（ステップＳ２３：ＮＯ）、フローは、ステップＳ２７へ進む。ステップＳ２７については後述する。
【００７６】
一方、訪問先情報の訪問先種別が「個人宅」である場合（ステップＳ２３：ＹＥＳ）、制御部７は、患者ボタン（個人宅）を表示するように表示部５を制御する（ステップＳ２４）。
【００７７】
例えば、１番目の訪問先情報の訪問先種別は「個人宅」であるので、制御部７は、図４に示すように、自宅図１７の表示位置に対応付けて患者ボタン１８（患者ボタン（個人宅）の一例）を表示部５に表示させる。
【００７８】
図４に示すように、患者ボタン１８は、自宅図１７からの吹き出し表示となっている。患者ボタン１８には、１番目の訪問先情報に含まれる患者名「患者花子」、開始予定時間「０９：００」、終了予定時間「０９：３０」が表示されている。また、患者ボタン１８には、訪問先が個人宅であることを示す訪問先種別アイコン４０が表示される。
【００７９】
また、図４に示すように、患者ボタン１８には、一言メモ情報表１９に含まれる一言メモを表示するコミュニケーション表示欄１５が設けられている。
【００８０】
次に、制御部７は、患者ボタン（個人宅）に一言メモを表示するように表示部５を制御する（ステップＳ２５）。
【００８１】
例えば、制御部７は、電子カルテサーバ２から取得した一言メモ情報表１９から一言メモ「８月に孫が来る」という文を抽出し、図４に示すように、その文をコミュニケーション表示欄１５に表示させる。
【００８２】
以上、患者ボタン表示処理（ステップＳ５）の詳細について説明した。なお、図６のステップＳ２７については、後述する。以下、図５の説明に戻る。
【００８３】
制御部７は、訪問診療計画表１６から読み出していない訪問先情報があるか否かを判定する（ステップＳ６）。
【００８４】
読み出していない訪問先情報がない場合（ステップＳ６：ＮＯ）、すなわち、訪問診療計画表１６に含まれている訪問先情報を全て読み出した場合、フローは、ステップＳ７へ進む。
【００８５】
読み出していない訪問先情報がある場合（ステップＳ６：ＹＥＳ）、フローは、ステップＳ４戻る。
【００８６】
ここでは、訪問診療計画表１６に含まれている２番目の訪問先情報が読み出されていないので、制御部７は、２番目の訪問先情報を読み出す（ステップＳ４）。
【００８７】
この場合、図６のステップＳ２３において、制御部７は、訪問先情報の訪問先種別が「個人宅」ではないと判定する（ステップＳ２３：ＮＯ）。そして、制御部７は、患者ボタン（施設）を表示するように表示部５を制御する（ステップＳ２７）。
【００８８】
例えば、制御部７は、図４に示すように、地図上に２番目の訪問先である施設の位置（患者の現在位置の一例）を示す施設図２０ａを表示部５に表示させるとともに、その施設図２０ａの表示位置に対応付けて患者ボタン２０（患者ボタン（施設）の一例）を表示部５に表示させる。
【００８９】
図４に示すように、患者ボタン２０は、施設図２０ａからの吹き出し表示となっている。患者ボタン２０には、２番目の訪問先情報に含まれる患者名「ＰＨＣ老人ホーム」、開始予定時間「１０：００」、終了予定時間「１２：００」が表示されている。また、患者ボタン２０には、訪問先が施設であることを示す訪問先種別アイコン４１が表示される。
【００９０】
以下、図５の説明に戻る。
【００９１】
訪問診療計画表１６から読み出していない訪問先情報がない場合（ステップＳ６：ＮＯ）、制御部７は、医師よって患者ボタンの操作（例えば、患者ボタンの表示領域をタッチする操作）が行われることを待機する。このとき、例えば、図４に示すように、表示部５には、自宅図１７、一言メモ等を含む患者ボタン１８、施設の位置を示す施設図２０ａ、および患者ボタン２０が表示された状態である。
【００９２】
ここで、いずれかの患者ボタンの操作が行われた場合、制御部７は、操作された患者ボタンが患者ボタン（個人宅）であるか否かを判定する（ステップＳ７）。
【００９３】
例えば、患者ボタン１８が操作された場合（ステップＳ７：ＹＥＳ）、フローは、図７に示すＡの処理へ進む。一方、患者ボタン２０が操作された場合（ステップＳ７：ＮＯ）、フローは、ステップＳ６１へ進む。ステップＳ６１〜Ｓ６３については、後述する。
【００９４】
以上、図５のフローについて説明した。
【００９５】
以下、図７のフローについて説明する。ここでは例として、医師が患者ボタン１８を操作した場合を例に挙げて説明する。
【００９６】
まず、制御部７は、電子カルテサーバ２から、１番目の訪問先情報に対応付けられた診療録情報表２１（図１２参照）を取得するように通信部８を制御する（ステップＳ３１）。これにより、通信部８は、電子カルテサーバ２へ診療録情報表２１の送信要求を行い、その後、電子カルテサーバ２から診療録情報表２１を受信する。
【００９７】
図１２に示すように、診療録情報表２１は、例えば、患者ＩＤ「２」、患者名「患者花子」、誕生日「１９５８−０５−０２」、性別「女」、年齢「６０歳４ヶ月１日」等の情報を含む。
【００９８】
また、診療録情報表２１は、受診歴情報として、受診歴ＩＤ「１５１０」、受診日時「２０１８．０７．２３  ０９：３０」、経過（Ｓ情報・Ｏ情報・Ａ情報・Ｐ情報・Ｆｒｅｅ情報）、処方された薬等の情報を含む。
【００９９】
次に、制御部７は、電子カルテサーバ２から、図１３に示す問診マスター表２２、および、図１４に示す問診選択肢マスター表２３を取得するように通信部８を制御する（ステップＳ３２）。これにより、通信部８は、電子カルテサーバ２へ問診マスター表２２および問診選択肢マスター表２３の送信要求を行い、その後、電子カルテサーバ２から問診マスター表２２および問診選択肢マスター表２３を受信する。
【０１００】
図１３に示すように、問診マスター表２２には、ＩＤ毎に、症状を示す文字列および患部を示す患部アイコンが含まれている。
【０１０１】
また、図１４に示すように、問診選択肢マスター表２３には、ＩＤ毎に、経過を示す文字列および履歴表示終了フラグ（true／false）が含まれている。制御部７は、前回の診療録を表示する際に、履歴表示終了フラグがtrueの項目は表示されないように表示部５を制御し、履歴表示終了フラグがfalseの項目は表示されるように表示部５を制御する。
【０１０２】
次に、制御部７は、診療録情報表２１に含まれる前回の受診歴情報に基づいて、前回の診療録（過去診療録情報の一例）を表示部５に表示させる（ステップＳ３３）。また、制御部７は、前回の診療録とともに、一言メモ情報表１９に基づいて一言メモを表示部５に表示させる。
【０１０３】
ここで、図１１を用いて、前回の診療録の表示例について説明する。
【０１０４】
図１１に示す診療録画面Ｄ１には、画面の上部に患者名、性別、年齢、現在の日付が表示されている。画面の左側には、受診歴「２０１８．０７．２３」と、本日の診療録の入力画面へ切り替えるための本日ボタン２４とが表示されている。画面の中央には、前回の受診日時「２０１８．０７．２３  ０９：３０」の診療内容である経過等のＳＯＡＰ情報および処方等の薬情報が表示されている。また、診療録画面Ｄ１には、本日に反映ボタン２６（詳細は後述）が表示されている。また、診療録画面Ｄ１には、一言メモの表示および入力が可能なコミュニケーション表示／入力欄２５が表示される。コミュニケーション表示／入力欄２５には、患者ボタン１８に表示された一言メモ（図４参照）と同じである「８月末に孫がくる」という文が表示されている。
【０１０５】
なお、診療録画面Ｄ１において、症状を示す文字列の表示位置の近傍に、その文字列に関連付けられている患部アイコンが表示されてもよい。
【０１０６】
このように、医師が、携帯端末３の表示部５において、地図上に表示された患者ボタン１８のコミュニケーション表示欄１５の一言メモを確認しながら、患者宅への訪問意思入力として患者ボタン１８を操作した場合、表示部５には、一言メモと、その一言メモに関連付けられた患者の前回の診療録が表示される。
【０１０７】
以上、図１１を用いて、前回の診療録の表示例について説明した。図７の説明に戻る。
【０１０８】
図１１に示す診療録画面Ｄ１が表示されている状態において、制御部７は、医師よって図１１に示したいずれかのボタン（本日ボタン２４または本日に反映ボタン２６）の操作が行われることを待機する（ステップ３４：ＮＯ）。ここでいうボタンの操作は、例えば、ボタンの表示領域をタッチする操作である。
【０１０９】
いずれかのボタンの操作が行われた場合（ステップＳ３４：ＹＥＳ）、制御部７は、そのボタンが本日に反映ボタン２６であるか否かを判定する（ステップＳ３５）。
【０１１０】
操作されたボタンが本日に反映ボタン２６ではない場合（ステップＳ３５：ＮＯ）、すなわち、操作されたボタンが本日ボタン２４である場合、制御部７は、図１１の診療録画面Ｄ１に代えて、本日（２０１８年８月６日）の診療録（経過等）を入力可能な入力画面を表示部５に表示させる（ステップＳ４５）。
【０１１１】
ステップＳ４５で表示される入力画面Ｄ５の一例を図１８に示す。表示部５には、図１８に示すように、ＳＯＡＰ情報メモ欄３１および薬の処方情報メモ欄３２が空欄状態である入力画面Ｄ５が表示される。すなわち、入力画面Ｄ５では、前回の診療録のＳＯＡＰ情報（図１１の診療録画面Ｄ１参照）が反映されていない。
【０１１２】
ステップＳ４５の後、フローは、図８のＢの処理（詳細は後述）に進む。
【０１１３】
操作されたボタンが、本日に反映ボタン２６である場合（ステップＳ３５：ＹＥＳ）、制御部７は、図１１の診療録画面Ｄ１に代えて、本日（２０１８年８月６日）の診療録（経過等）を入力可能な入力画面を表示部５に表示させる（ステップＳ３６）。また、制御部７は、その入力画面に一言メモの入力欄を表示させる（ステップＳ３７）。
【０１１４】
ステップＳ３６で表示される入力画面Ｄ２の一例を図１５に示す。表示部５には、図１５に示すように、前回の診療録のＳＯＡＰ情報（図１１の診療録画面Ｄ１参照）が反映された入力画面Ｄ２が表示される。
【０１１５】
また、入力画面Ｄ２には、空欄状態のコミュニケーション表示／入力欄２５が表示される。これにより、医師は、空欄のコミュニケーション表示／入力欄２５に、本日の診療時に患者と会話した内容を示すコミュニケーション情報（一言メモ）を新規に入力することができる。
【０１１６】
例えば、本日の診療時に、医師が患者ボタン１８に表示されていた「８月に孫が来る」の話題を持ちかけると、この話題は患者が大切にしていることなので話が弾み、例えば、患者から「孫は８月１７日に来るのですよ」と話が進む。ここで、孫が来ることを患者が喜んでいると感じた医師は、次回の話題として例えば「孫が８月１７日」という文を、コミュニケーション表示／入力欄２５に入力することができる。このように入力されたコミュニケーション情報（一言メモ）は、次回の訪問診療時に活用されることとなる。
【０１１７】
次に、制御部７は、前回の診療録のＳＯＡＰ情報（図１５の入力画面Ｄ２に表示されているＳＯＡＰ情報。換言すれば、図１２に示した前回の受診歴情報）に、図１３の問診マスター表２２に示した症状を表す文字列が含まれているか否かを判定する（ステップＳ３８）。
【０１１８】
症状を表す文字列は、例えば図１３に示したように、「頭が痛い」、「首が痛い」、「目が痛い」、「喉が痛い」、「耳が痛い」等である。
【０１１９】
症状を表す文字列が含まれていない場合（ステップＳ３８：ＮＯ）、フローは、後述のステップＳ４０へ進む。
【０１２０】
一方、症状を表す文字列が含まれている場合（ステップＳ３８：ＹＥＳ）、フローは、後述のステップＳ３９へ進む。
【０１２１】
例えば、図１５に示すように、前回の診療録のＳＯＡＰ情報に、問診マスター表２２に示されている「頭が痛い」および「喉が痛い」といった文字列が含まれている場合（ステップＳ３８：ＹＥＳ）、制御部７は、選択肢ボタンを表示部５に表示させる（ステップＳ３９）。
【０１２２】
選択肢ボタンとは、図１４の問診選択肢マスター表２３に示された経過を示す文字列を選択肢としたボタンである。例えば、図１５に示すように、入力画面Ｄ２には、選択肢ボタン２７が表示される。具体的には、「頭が痛い」および「喉が痛い」のそれぞれに対して、「完治／良化／変化なし／悪化」という選択肢ボタン２７が表示される。
【０１２３】
また、このとき、入力画面Ｄ２には、図１５に示すように、削除ボタン２８および確定ボタン２９が表示される。削除ボタン２８は、表示されたＳＯＡＰ情報の一項目（例えば、「Ｓ：断続的に頭が痛い（７／２３）」に関する項目）を一括して削除するためのボタンである。確定ボタン２９は、入力されたＳＯＡＰ情報を確定するためのボタンである。なお、削除ボタン２８は、Ｓ情報、Ｏ情報、Ａ情報、Ｐ情報の各情報を一括して削除可能なボタンであってもよいし、一行ずつ削除可能なボタンであってもよい。
【０１２４】
図１５に示す入力画面Ｄ２が表示されている状態において、制御部７は、医師よって図１５に示したいずれかのボタン（選択肢ボタン２７、削除ボタン２８、または確定ボタン２９）の操作が行われることを待機する（ステップ４０：ＮＯ）。ここでいうボタンの操作は、例えば、ボタンの表示領域をタッチする操作である。
【０１２５】
いずれかのボタンの操作が行われた場合（ステップＳ４０：ＹＥＳ）、制御部７は、操作されたボタンの種類に応じた処理を行う。
【０１２６】
例えば、図１５に示す入力画面Ｄ２において、医師により選択肢ボタン２７が操作された場合（ステップＳ４０：ＹＥＳ、選択肢ボタン）、制御部７は、選択肢を確定表示する（ステップＳ４１）。
【０１２７】
具体的には、医師が、「Ｓ：断続的に頭が痛い（７／２３）」のコメント入力欄３０に「痛みが小さくなった」という文を入力し、「良化」の選択肢ボタン２７を操作した場合、制御部７は、「頭が痛い」に対する経過を「良化」に決定する。そして、制御部７は、図１６に示す入力画面Ｄ３を表示部５に表示させる際に、「Ｓ：断続的に頭が痛い（７／２３）  良化  痛みが小さくなった」という文を表示させる。
【０１２８】
なお、図１６に示す入力画面Ｄ３は、図１５に示す入力画面Ｄ２における表示内容に変更（経過の変更や、ＳＯＡＰ情報の削除）があった場合に表示される画面である。すなわち、入力画面Ｄ３は、入力画面Ｄ２の更新後の画面と言える。
【０１２９】
また、医師が、「喉が痛い（７／２３）」について、「完治」の選択肢ボタン２７を操作した場合、制御部７は、「喉が痛い」に対する経過を「完治」に決定する。そして、制御部７は、図１６に示す入力画面Ｄ３を表示部５に表示させる際に、「喉が痛い（７／２３）  完治」という文を表示させる。
【０１３０】
また、例えば、図１５に示す入力画面Ｄ２において、医師により削除ボタン２８が操作された場合（ステップＳ４０：ＹＥＳ、削除ボタン）、制御部７は、対応するＳＯＡＰ情報を削除する（ステップＳ４２）。
【０１３１】
具体的には、医師が、「咳が出る」に対応する削除ボタン２８を操作した場合、制御部７は、図１６に示す入力画面Ｄ３を表示部５に表示させる際に、入力画面Ｄ３において「咳が出る」という文を削除（換言すれば、非表示に）する。
【０１３２】
また、医師が、「鎮痛剤で経過観察  薬嫌いのため風邪薬はなし」に対応する削除ボタン２８を操作した場合、制御部７は、図１６に示す入力画面Ｄ３を表示部５に表示させる際に、入力画面Ｄ３において、「鎮痛剤で経過観察  薬嫌いのため風邪薬はなし」という文を削除（換言すれば、非表示に）する。
【０１３３】
また、例えば、図１５に示す入力画面Ｄ２において、医師により確定ボタン２９が操作された場合（ステップＳ４０：ＹＥＳ、確定ボタン）、制御部７は、図１２の診療録情報表２１に本日の受診歴情報として、新たな受診歴ＩＤ、本日の受診日時、本日のＳＯＡＰ情報等を追加する（ステップＳ４３）。
【０１３４】
なお、ステップＳ４３は、図１６に示す入力画面Ｄ３において、医師により確定ボタン２９が操作された場合にも、上記同様に行われる。
【０１３５】
次に、制御部７は、本日の診療録（受診歴情報）を表示部５に表示させる（ステップＳ４４）。
【０１３６】
本日の診療録が表示される入力画面Ｄ４の例を図１７に示す。なお、図１７に示す入力画面Ｄ４は、例えば、図１６に示す入力画面Ｄ３において確定ボタン２９が操作された場合に表示される画面を示している。
【０１３７】
図１７に示すように、入力画面Ｄ４の画面中央の左側には、ＳＯＡＰ情報メモ欄３１が表示される。ＳＯＡＰ情報メモ欄３１には、本日の診療の結果を示すＳＯＡＰ情報が表示される。なお、医師は、このＳＯＡＰ情報メモ欄３１に、ＳＯＡＰ情報を直接入力することもできる。
【０１３８】
また、図１７に示すように、入力画面Ｄ４の画面中央の右側には、薬の処方情報メモ欄３２が表示される。医師は、薬の処方情報メモ欄３２に、本日処方する薬の情報を入力できる。
【０１３９】
また、図１７に示すように、入力画面Ｄ４には、コミュニケーション表示／入力欄２５が空欄状態で表示される。よって、医師は、コミュニケーション表示／入力欄２５に対して、本日の診療時における患者との会話の内容である「孫は８月１７日」という文を、一言メモとして入力することができる。
【０１４０】
以上、入力画面Ｄ４について説明した。
【０１４１】
ステップＳ４４の後、フローは、図８のＢの処理（詳細は後述）に進む。
【０１４２】
以上、図７のフローについて説明した。
【０１４３】
以下、図８のフローについて説明する。ここでは例として、医師が患者ボタン１８を操作した場合を例に挙げて説明する。
【０１４４】
上述したいずれかの入力画面が表示されている状態において、制御部７は、医師よって入力画面を閉じる操作が行われることを待機する（ステップ５１：ＮＯ）。閉じる操作は、例えば、図１７に示す閉じるボタン３３の表示領域を指定する操作である。
【０１４５】
その後、入力画面を閉じる操作が行われた場合（ステップＳ５１：ＹＥＳ）、制御部７は、本日の受診歴情報が追加された診療録情報表２１を電子カルテサーバ２に送信するように通信部８を制御する。これにより、通信部８は、診療録情報表２１を電子カルテサーバ２へ送信する。
【０１４６】
電子カルテサーバ２の制御部１２は、通信部１３において受信された携帯端末３からの診療録情報表２１を、記憶部１４に保存する。
【０１４７】
また、制御部７は、本日の診療時にコミュニケーション表示／入力欄２５に入力された一言メモを、診療録情報表２１に関連付けて記憶部１１に保存する。具体的には、制御部７は、本日の日付と、本日入力された一言メモである「孫は８月１７日」という文を、図１０に示した一言メモ情報表１９に追加記録する。このように一言メモ情報表１９において一言メモは患者ＩＤおよび日付（受診日時）に対応して記録される。よって、その一言メモは、患者ＩＤおよび日付（受診日時）が記録された診療録情報表２１（図１２参照）と関連付けられる。
【０１４８】
次に、制御部７は、一言メモ情報表１９を電子カルテサーバ２に送信するように通信部８を制御する（ステップＳ５３）。これにより、通信部８は、一言メモ情報表１９を電子カルテサーバ２へ送信する。
【０１４９】
電子カルテサーバ２の制御部１２は、通信部１３において受信された携帯端末３からの一言メモ情報表１９を、記憶部１４に保存する。この一言メモ情報表１９は、先に保存された診療録情報表２１に関連付けられて保存される。この一言メモ情報表１９に含まれる本日入力された一言メモ（「孫は８月１７日」という文）は、次回の診療時に、図４に示したコミュニケーション表示欄１５に表示されることになる。
【０１５０】
次に、制御部７は、本日の診療時に入力された診療録情報（ＳＯＡＰ情報）を、入力済み診療録情報として、訪問診療計画表１６に記録する（ステップＳ５４）。
【０１５１】
例えば、本日の診療時に入力された診療録情報がＳ情報およびＯ情報である場合、制御部７は、図９に示すように、訪問診療計画表１６の入力済み診療録情報の欄に「Ｓ，Ｏ」と記録する。
【０１５２】
次に、制御部７は、次の（換言すれば、未処理の）施設患者情報があるか否かを確認する（ステップＳ５５）。施設患者情報は、図９に示したように、同一の施設に入居している患者の情報である。
【０１５３】
医師が個人宅への訪問診療を行った場合、制御部７は、次の施設患者情報者はないと判定する（ステップＳ５５：ＮＯ）。この場合、フローは、図５のステップＳ１へ戻る。
【０１５４】
一方、医師が施設へ訪問診療を行った場合において、制御部７が次の施設患者情報者があると判定した場合（ステップＳ５５：ＹＥＳ）、フローは、図７のステップＳ３１へ戻る。
【０１５５】
以上、図５〜図８の一連の処理について説明した。
【０１５６】
上記説明では、医師が、１番目の訪問先情報に示される個人宅を訪問診療する場合を例に挙げて説明した。以下では、１番目の訪問先情報に示される個人宅への訪問診療が終わり、次に、医師が、２番目の訪問先情報に示される施設への訪問診療を行う場合を例に挙げて説明する。この場合、携帯端末３の制御部７により図５のステップＳ６１〜Ｓ６３の処理が行われる。
【０１５７】
施設へ訪問する前に、医師は、図４に示すように表示部５に表示された患者ボタン２０の操作を行う。これにより、図５のステップＳ７において、制御部７は、操作された患者ボタンが患者ボタン（個人宅）ではないと判定する（ステップＳ７：ＮＯ）。そして、フローは、図５のステップＳ６１へ進む。
【０１５８】
まず、制御部７は、訪問診療計画表１６（図９参照）から、２番目の訪問先情報に含まれる全ての施設患者情報を抽出する（ステップＳ６１）。
【０１５９】
次に、制御部７は、各施設患者情報に基づいて、患者毎の患者ボタンを表示部５に表示させる（ステップＳ６２）。このとき、制御部７は、上述した図６のステップＳ２２と同様の処理を行い、電子カルテサーバ２から、各施設患者情報に関連付けられた一言メモ情報表１９を取得する。そして、制御部７は、その一言メモ情報表１９に示される一言メモも患者ボタンに表示させる。
【０１６０】
ここで、ステップＳ６２における各患者ボタンの表示例について、図１９を用いて説明する。図１９は、患者ボタン５０が表示される施設表示画面Ｔ２の一例を示す図である。
【０１６１】
図１９に示すように、施設表示画面Ｔ２には、例えば５名分の患者ボタン５０が一覧表示される。各患者ボタン５０には、施設患者情報に基づいて、患者名、開始予定時刻、終了予定時刻が表示される。また、各患者ボタン５０には、コミュニケーション表示欄１５が表示される。
【０１６２】
図１９に示すように、各コミュニケーション表示欄１５には、前回の診療時に医師が患者との会話を基に入力した一言メモ（例えば、「甘い物がほしい」、「ヒマワリが咲いた」、「折り紙が好き」、「薬の残量確認」という文）が表示される。今回が初めての訪問診療である患者のコミュニケーション表示欄１５は、空欄である。
【０１６３】
以下、図５の説明に戻る。
【０１６４】
その後、医師よっていずれかの患者ボタン５０の操作（例えば、患者ボタンの表示領域をタッチする操作）が行われることを待機する（ステップＳ６３：ＮＯ）。
【０１６５】
医師よっていずれかの患者ボタン５０の操作が行われた場合（ステップＳ６３：ＹＥＳ）、フローは、上述した図７のＡの処理へ進む。
【０１６６】
なお、図７のＡの処理の後、フローが図８に示すＡに進んだ場合、制御部７は、次の施設患者情報がなくなるまで、換言すれば、全ての患者の診療が終了するまで、図７のＡおよび図８のＢの処理を繰り返す。
【０１６７】
以上説明したように、本実施の形態の携帯端末３は、前回の診療時における患者との会話の内容を示すコミュニケーション情報（一言メモ）を表示することを特徴とする。
【０１６８】
よって、医師は、次の診療前または診療中に、表示された一言メモを確認でき、一言メモの内容を患者に一言話すことができる。これにより、患者は、前回の診療時に自分が話したことを医師が覚えてくれていることに感動し、医師を信頼するようになる。その結果、医師は、患者から症状等についての話しを引き出すことができ、質の高い診療を行うことができる。すなわち、効果的な診療を実現することができる。
【０１６９】
なお、本開示は、上記実施の形態の説明に限定されず、その趣旨を逸脱しない範囲において種々の変形が可能である。以下、変形例について説明する。
【０１７０】
［変形例１］
例えば、医師が１番目の訪問先情報に示される個人宅への訪問診療を行った後、図４に示した患者ボタン１８の表示内容を変更してもよい。この場合、携帯端末３の制御部７により図６のステップＳ２６の処理が行われる。以下では、診療の結果、医師によりＳ情報およびＯ情報が入力（確定）された場合（図１６または図１７参照）を例に挙げて説明する。この場合、訪問診療計画表１６の入力済み診療録情報欄には、「Ｓ，Ｏ」が記録される（図９参照）。
【０１７１】
制御部７は、訪問診療計画表１６の入力済み診療録情報欄が空欄ではないと判定し（ステップＳ２１：ＮＯ）、入力済み診療録情報に基づいて、ＳＯＡＰアイコンを生成する（ステップＳ２６）。
【０１７２】
ＳＯＡＰアイコンは、入力済みである診療録情報の種類（Ｓ、Ｏ、Ａ、Ｐ）を示すアイコン（画像の一例）である。例えば、訪問診療計画表１６の入力済み診療録情報欄に「Ｓ，Ｏ」が記録されている場合、制御部７は、Ｓ情報が入力されたことを示すＳＯＡＰアイコン（Ｓ情報アイコンと言ってもよい）、および、Ｏ情報が入力されたことを示すＳＯＡＰアイコン（Ｏ情報アイコンと言ってもよい）を生成する。
【０１７３】
その後、ステップＳ２４において、制御部７は、図４に示した患者ボタン１８にＳＯＡＰアイコンを表示させる。
【０１７４】
このときの患者ボタン１８の表示例を図２０に示す。図２０に示すように、患者ボタン１８には、Ｓ情報が入力されたことを示すＳＯＡＰアイコン３４、および、Ｏ情報が入力されたことを示すＳＯＡＰアイコン３５が表示される。
【０１７５】
よって、本変形例では、医師は、患者ボタン１８に表示されたＳＯＡＰアイコン３４、３５を視認することにより、当該患者の本日の診療が終了したことを認識することができる。
【０１７６】
また、従来、医師は、診療時に診療録情報（ＳＯＡＰ情報）の入力を行ったか否かについて、診療後に受診歴情報（図１２参照）を画面表示させて確認しており、手間がかかっていた。これに対して、本変形例では、ＳＯＡＰアイコン３４、３５の表示により、医師は、診療録情報（ＳＯＡＰ情報）の入力が行われたことを容易に認識できるので、従来の手間を軽減することができる。
【０１７７】
なお、本変形例では、個人宅への訪問診療が終了した場合を例に挙げて説明したが、施設への訪問診療が終了した場合にも適用できる。その場合、例えば、図１９に示した各患者ボタン５０にＳＯＡＰアイコンが表示される。
【０１７８】
［変形例２］
実施の形態では、図４に示したように、患者ボタン１８に訪問先種別アイコン４０を表示する場合を例に挙げて説明したが、訪問先種別アイコン４０の代わりに、図１３の問診マスター表２２に含まれている患部アイコンが表示されてもよい。
【０１７９】
この場合における携帯端末３の制御部７の処理について、図２１のフローチャートを用いて説明する。図２１は、図６のステップＳ２３とステップＳ２４との間に、ステップＳ７１〜Ｓ７５が追加されたフローチャートである。以下では、ステップＳ７１〜Ｓ７５およびステップＳ２４について説明する。また、以下では、患者ボタン１８が表示される場合を例に挙げて説明する。
【０１８０】
まず、制御部７は、電子カルテサーバ２から、１番目の訪問先情報に対応付けられた診療録情報表２１（図１２参照）を取得するように通信部８を制御する（ステップＳ７１）。これにより、通信部８は、電子カルテサーバ２へ診療録情報表２１の送信要求を行い、その後、電子カルテサーバ２から診療録情報表２１を受信する。
【０１８１】
次に、制御部７は、電子カルテサーバ２から、問診マスター表２２（図１３参照）を取得するように通信部８を制御する（ステップＳ７２）。これにより、通信部８は、電子カルテサーバ２へ問診マスター表２２の送信要求を行い、その後、電子カルテサーバ２から問診マスター表２２を受信する。
【０１８２】
次に、制御部７は、前回の診療録のＳＯＡＰ情報（図１５の入力画面Ｄ２に表示されているＳＯＡＰ情報。換言すれば、図１２に示した前回の受診歴情報）に、図１３の問診マスター表２２に示した症状を表す文字列が含まれているか否かを判定する（ステップＳ７３）。
【０１８３】
症状を表す文字列が含まれていない場合（ステップＳ７３：ＮＯ）、制御部７は、患者ボタン１８に患部アイコンを表示しないことを決定する（ステップＳ７４）。その後、フローは、後述のステップＳ２４へ進む。
【０１８４】
一方、症状を表す文字列が含まれている場合（ステップＳ７３：ＹＥＳ）、制御部７は、患者ボタン１８に患部アイコンを表示することを決定する（ステップＳ７５）。その後、フローは、後述のステップＳ２４へ進む。
【０１８５】
次に、制御部７は、患者ボタン（個人宅）を表示するように表示部５を制御する（ステップＳ２４）。
【０１８６】
例えば、ステップＳ７４において、患者ボタン１８に患部アイコンを表示しないことが決定された場合、制御部７は、例えば図４に示したように、患者名、開始予定時間、終了予定時間、一言メモ、訪問先種別アイコン４０を含む患者ボタン１８を表示部５に表示させる。
【０１８７】
一方、例えば、ステップＳ７５において、患者ボタン１８に患部アイコンを表示することが決定された場合、制御部７は、患者名、開始予定時間、終了予定時間、一言メモ、患部アイコンを含む患者ボタン１８を表示部５に表示させる。
【０１８８】
患部アイコンを含む患者ボタン１８の表示例を図２２に示す。例えば、前回の診療録のＳＯＡＰ情報に「頭が痛い」との文字列が含まれている場合、制御部７は、問診マスター表２２から、「頭が痛い」との文字列に対応付けられている、頭部が患部であることを示す患部アイコン６０を読み出す。そして、制御部７は、図２２に示すように、その患部アイコン６０を患者ボタン１８に表示させる。
【０１８９】
よって、本変形例では、医師は、これから診療を行う患者の患部を容易に認識でき、その患部の状態について、速やかに患者とコミュニケーションをとることができる。
【０１９０】
なお、図２２に示す患者ボタン１８には、変形例１で説明したＳＯＡＰアイコンが表示されてもよい。
【０１９１】
また、患部アイコンは、図１９に示す各患者ボタン５０に表示されてもよい。
【産業上の利用可能性】
【０１９２】
本開示の診療支援装置、診療支援方法、および診療支援プログラムは、医師が診療を行う場合において広い活用が期待される。
【符号の説明】
【０１９３】
１  訪問診療支援システム
２  電子カルテサーバ
３  携帯端末（診療支援装置の一例）
４  地図サーバ
５  表示部
６  操作キー
７  制御部
８  通信部
９  電源
１０  ＧＰＳ情報取得部
１１  記憶部
１２  制御部
１３  通信部
１４  記憶部
１５  コミュニケーション表示欄
１６  訪問診療計画表（訪問診療計画の一例）
１７  自宅図
１８、２０、５０  患者ボタン
１９  一言メモ情報表
２０ａ  施設図
２１  診療録情報表
２２  問診マスター表
２３  問診選択肢マスター表
２４  本日ボタン
２５  コミュニケーション表示／入力欄
２６  本日に反映ボタン
２７  選択肢ボタン
２８  削除ボタン
２９  確定ボタン
３０  コメント入力欄
３１  ＳＯＡＰ情報メモ欄
３２  処方情報メモ欄
３３  閉じるボタン
３４、３５  ＳＯＡＰアイコン
４０、４１  訪問先種別アイコン
６０  患部アイコン
Ｄ１  診療録画面
Ｄ２、Ｄ３、Ｄ４、Ｄ５  入力画面
【図１】
2020123267.tif 000003
【図２】
2020123267.tif 000004
【図３】
2020123267.tif 000005
【図４】
2020123267.tif 000006
【図５】
2020123267.tif 000007
【図６】
2020123267.tif 000008
【図７】
2020123267.tif 000009
【図８】
2020123267.tif 000010
【図９】
2020123267.tif 000011
【図１０】
2020123267.tif 000012
【図１１】
2020123267.tif 000013
【図１２】
2020123267.tif 000014
【図１３】
2020123267.tif 000015
【図１４】
2020123267.tif 000016
【図１５】
2020123267.tif 000017
【図１６】
2020123267.tif 000018
【図１７】
2020123267.tif 000019
【図１８】
2020123267.tif 000020
【図１９】
2020123267.tif 000021
【図２０】
2020123267.tif 000022
【図２１】
2020123267.tif 000023
【図２２】
2020123267.tif 000024